(57)【要約】【課題】地張り剤を使用しなくても、布帛に搬送ベルトに対する押圧力を生じさせて、布帛と搬送ベルトとを適切に密着させる。また、搬送ベルトの振動や弛みを抑制する。【解決手段】布帛を搬送する無端の搬送ベルトと、搬送ベルトが周回する経路を規定する複数のローラと、布帛にインクを吐出する複数のインクジェットヘッドと、を有する捺染インクジェットプリンタにおいて、各々のインクジェットヘッドを、順次、隣り合う一対のローラの間の領域に配置し、複数のローラを、複数のインクジェットヘッドが配置されるプリント部において、搬送ベルトが周の外側に向かって膨らんだ凸状になるように配置する。また、搬送ローラを挟んでインクジェットヘッドに対向する位置に、搬送ベルトを平面で支持するプラテンを設ける。【選択図】図１
2020029001.tif 000002
【特許請求の範囲】
【請求項１】
布帛を搬送する無端の搬送ベルトと、
前記搬送ベルトが周回する経路を規定する複数のローラと、
前記搬送ベルトの外周側に設置され、前記布帛にインクを吐出する複数のインクジェットヘッドと、を有する捺染インクジェットプリンタであって、
各々の前記インクジェットヘッドは、順次、隣り合う一対の前記ローラの間の領域に配置され、
前記複数のローラは、前記複数のインクジェットヘッドが配置されるプリント部において、前記搬送ベルトが周の外側に向かって膨らんだ凸状になるように配置される、
ことを特徴とする捺染インクジェットプリンタ。
【請求項２】
前記搬送ベルトが凸状になるとは、隣り合う前記インクジェットヘッドの間に位置する前記ローラによって、前記搬送ベルトが周の内側に向かって屈曲することである、
ことを特徴とする請求項１に記載の捺染インクジェットプリンタ。
【請求項３】
前記搬送ベルトを挟んで前記インクジェットヘッドに対向する位置に、前記搬送ベルトを平面で支持するプラテンを有する、
ことを特徴とする請求項１又は２に記載の捺染インクジェットプリンタ。
【請求項４】
前記搬送ベルトの表面に、前記布帛が前記搬送ベルト上で搬送方向及び搬送方向に直交する方向に相対移動することを規制する突起を有する、
ことを特徴とする請求項１乃至３のいずれか一に記載の捺染インクジェットプリンタ。
【請求項５】
前記突起は、針状であり、前記針の高さは、前記布帛の厚さ以下である、
ことを特徴とする請求項４に記載の捺染インクジェットプリンタ。
【発明の詳細な説明】
【技術分野】
【０００１】
本発明は、捺染インクジェットプリンタに関し、特に、地張り剤を用いずに布帛を搬送して印捺することができる捺染インクジェットプリンタに関する。
【背景技術】
【０００２】
従来、捺染方法として、版を用いるスクリーン捺染やローラ捺染が行われていたが、これらの捺染では、染色に先立って版を作製する必要があるため、生産効率が低い。そこで、近年では、インクジェットプリンタを用いたインクジェット方式により布帛等の媒体への画像形成を行うインクジェット捺染が行われている。
【０００３】
インクジェットプリンタでは、搬送ベルトなどの搬送部材を用いて媒体を搬送するため、媒体を搬送ベルトに密着させることが重要である。そのため、紙媒体に印刷する場合は、吸引ファンなどで紙媒体を吸引して搬送ベルトに密着させたり、静電気によって紙媒体を搬送ベルトに密着させたりしている。しかしながら、媒体として布帛等を使用する場合は、吸引や静電気を用いて布帛を搬送ベルトに密着させることができないため、布帛と搬送ベルトとの間に位置ずれが生じ、正確に印捺することができない。そこで、従来は搬送ベルトに地張り剤と呼ばれる粘着剤の有機溶媒溶液を塗布する、所謂、地張りを行っている。
【０００４】
この地張り剤の塗布には有機溶剤を用いるため、安全性及び作業者の健康上の問題がある。また、地張り剤を繰り返し使用することによって粘着力が低下した場合は、再度地張り剤を塗り直す必要があり、その際、有機溶剤を用いて粘着剤を一度掻き取った後に再度地張り剤を塗布するといった煩雑な作業が必要になる。そこで、地張り剤を用いることなく、媒体と搬送部材との位置ずれを抑制するための様々な方法が提案されている。
【０００５】
例えば、下記特許文献１には、インク押し出し手段、前記インク押し出し手段の近位に受基板を通過させるためのベルト及び前記ベルトを移動させるための第１及び第２のローラを含み、前記ローラはそれぞれ、第１及び第２の末端及び軸をもち、前記ベルトが、前記インク押し出し手段の方向に延びている前記ベルト中に膨らみを形成するための、前記第１及び第２のローラの中間に置かれたガイド手段に接触するインクジェットプリンタが開示されている。
【０００６】
また、下記特許文献２には、媒体の搬送機構の一部を構成し前記媒体を搬送する搬送部材であって、前記媒体と接触して前記媒体を保持する媒体保持面が形成されており、前記搬送部材は、前記媒体保持面によって前記媒体を保持した状態で前記媒体保持面が移動させられることによって前記媒体を搬送し、前記媒体保持面は、溶射による表面処理が施されている構成が開示されている。
【先行技術文献】
【特許文献】
【０００７】
【特許文献１】特開２００１−２６０４４４号公報
【特許文献２】特開２０１６−１３５７１１号公報
【発明の概要】
【発明が解決しようとする課題】
【０００８】
上記特許文献１の図１では、ヘッド下部の搬送ベルトの下側にガイドローラを配置し、ガイドローラを用いて搬送ベルトをヘッド側に押圧することによって媒体と搬送部材との位置ずれを抑制する構成を開示している。しかしながら、この構成では、ヘッドのノズルから吐出されるインクの着弾面がガイドローラの形状を反映して円弧状になっているため、ヘッドのノズルと媒体間の距離（ギャップ）を一定に保つことができず、インクの着弾位置にずれが生じる。
【０００９】
また、上記特許文献１の図２では、ヘッド下部の搬送ベルトを２つのガイドローラで支持して平面にする構成を開示している。しかしながら、この構成では、ヘッドのサイズが大きくなるとガイドローラ間の距離も大きくなるため、搬送ベルトに適切なテンションを加えないと、搬送ベルトの平面を保つのが困難になる。
【００１０】
特に、布帛に印捺を行うインクジェットプリンタでは、１〜２ｍ程度の幅の布帛を搬送して印捺するために、搬送ベルトやヘッドのサイズも大きくなり、搬送ベルトに適切なテンションを加えることは容易ではない。更に、搬送ベルトに適切なテンションを加えることができたとしても、２つのガイドローラ間の距離が大きくなると、ガイドローラ間で搬送ベルトが振動したり弛んだりして、インクの着弾位置にずれが生じる。
【００１１】
また、上記特許文献２では、媒体を搬送する搬送部材（ドラム）の表面に、布帛が搬送部材に対して水平方向及び垂直方向に動かないように固定するための特殊な形状の突起を形成する構成を開示している。しかしながら、大型のドラムに特殊な形状の突起を精度良く形成するのは困難である。また、この突起を用いて布帛を搬送部材に固定することができたとしても、インクの着弾面がドラムの形状を反映して円弧状になるため、ヘッドのノズルと媒体間の距離（ギャップ）を一定に保つことができず、インクの着弾位置にずれが生じる。
【００１２】
本発明は、上記問題点に鑑みてなされたものであって、その主たる目的は、地張り剤を使用しなくても、布帛に搬送ベルトに対する押圧力を生じさせて、布帛と搬送ベルトとを適切に密着させることができる捺染インクジェットプリンタを提供することにある。
【００１３】
また、本発明の他の目的は、搬送ベルトの振動や弛みを抑制することができる捺染インクジェットプリンタを提供することにある。
【課題を解決するための手段】
【００１４】
本発明の一側面は、布帛を搬送する無端の搬送ベルトと、前記搬送ベルトが周回する経路を規定する複数のローラと、前記搬送ベルトの外周側に設置され、前記布帛にインクを吐出する複数のインクジェットヘッドと、を有する捺染インクジェットプリンタであって、各々の前記インクジェットヘッドは、順次、隣り合う一対の前記ローラの間の領域に配置され、前記複数のローラは、前記複数のインクジェットヘッドが配置されるプリント部において、前記搬送ベルトが周の外側に向かって膨らんだ凸状になるように配置されることを特徴とする。
【発明の効果】
【００１５】
本発明の捺染インクジェットプリンタによれば、地張り剤を使用しなくても、布帛に搬送ベルトに対する押圧力を生じさせて、布帛と搬送ベルトとを適切に密着させることができる。
【００１６】
その理由は、布帛を搬送する無端の搬送ベルトと、搬送ベルトが周回する経路を規定する複数のローラと、搬送ベルトの外周側に設置され、布帛にインクを吐出する複数のインクジェットヘッドと、を有する捺染インクジェットプリンタにおいて、各々のインクジェットヘッドを、順次、隣り合う一対のローラの間の領域に配置し、複数のローラを、複数のインクジェットヘッドが配置されるプリント部において、搬送ベルトが周の外側に向かって膨らんだ凸状になる（隣り合うインクジェットヘッドの間に位置するローラによって、搬送ベルトが周の内側に向かって屈曲する）ように配置するからである。
【００１７】
本発明の捺染インクジェットプリンタによれば、搬送ベルトの振動や弛みを抑制することができる。
【００１８】
その理由は、搬送ベルトを挟んでインクジェットヘッドに対向する位置に、搬送ベルトを平面で支持するプラテンを設けるからである。
【図面の簡単な説明】
【００１９】
【図１】本発明の一実施例に係る捺染インクジェットプリンタの構成を示す模式図である。
【図２】本発明の一実施例に係る捺染インクジェットプリンタの構成を示す斜視図である。
【図３】本発明の一実施例に係る捺染インクジェットプリンタにおけるキャリッジの一例を示す平面図である。
【図４】本発明の一実施例に係る捺染インクジェットプリンタにおける搬送ベルトの構造を示す断面図である。
【図５】従来の捺染インクジェットプリンタの問題（ヘッドのノズルと媒体間の距離の変動）を説明する模式図である。
【図６】従来の捺染インクジェットプリンタの問題（搬送ベルトの振動や弛み）を説明する模式図である。
【発明を実施するための形態】
【００２０】
背景技術で示したように、インクジェットプリンタを用いて布帛等の媒体に印捺する場合は、搬送ベルトに地張り剤と呼ばれる粘着剤の有機溶媒溶液を塗布する地張りを行っているが、地張りでは、安全性及び作業者の健康上の問題があり、地張り剤の粘着力が低下した際には再度地張り剤を塗り直さなければならず煩雑である。そこで、地張り剤を用いることなく、媒体と搬送部材との位置ずれを抑制するために、ヘッド下部の搬送ベルトの下側にガイドローラを配置する構成や、ヘッド下部の搬送ベルトを２つのガイドローラで支持して平面にする構成、ヘッド下部のドラムに特殊な形状の突起を設ける構成などが提案されている。
【００２１】
しかしながら、図５に示すように、ヘッド下部の搬送ベルトの下側にガイドローラを配置する構成では、インクの着弾面がガイドローラの形状を反映して円弧状になり、ヘッドのノズルと媒体間の距離（ギャップ）を一定に保つことができず、インクの着弾位置にずれが生じる。また、ヘッド下部の搬送ベルトを２つのガイドローラで支持して平面にする構成では、ヘッドのサイズが大きくなるとガイドローラ間の距離も大きくなるため、搬送ベルトに適切なテンションを加えないと、搬送ベルトの平面を保つのが困難になる。
【００２２】
特に、布帛に印捺を行うインクジェットプリンタでは、１〜２ｍ程度の幅の布帛を搬送して印捺するために、搬送ベルトやヘッドのサイズも大きくなり、搬送ベルトに適切なテンションを加えることは容易ではなく、更に、搬送ベルトを支持する２つのガイドローラ間の距離が大きくなると、図６に示すように、ガイドローラ間で搬送ベルトが振動したり弛んだりして、インクの着弾位置にずれが生じる。
【００２３】
また、大型のドラムに特殊な形状の突起を精度良く形成するのは困難であり、この突起を用いて布帛を搬送部材に密着させることができたとしても、インクの着弾面がドラムの形状を反映して円弧状になるため、ヘッドのノズルと媒体間の距離（ギャップ）を一定に保つことができず、インクの着弾位置にずれが生じる。
【００２４】
そこで、本発明の一実施の形態では、布帛がヘッドを通過するまでの区間、搬送ベルトが凸状になるようにして、布帛のテンションによる搬送ベルト表面方向の押し付け力で、布帛と搬送ベルトとが密着するようにする。具体的には、布帛を搬送する無端の搬送ベルトと、搬送ベルトが周回する経路を規定する複数のガイドローラと、搬送ベルトの外周側に設置され、布帛にインクを吐出する複数のインクジェットヘッドと、を有する捺染インクジェットプリンタにおいて、各々のインクジェットヘッドを、順次、隣り合う一対のローラの間の領域に配置し、複数のガイドローラを、複数のインクジェットヘッドが配置される部分（プリント部と呼ぶ。）において、搬送ベルトが周の外側に向かって膨らんだ凸状になるように配置する。
【００２５】
上記の搬送ベルトが凸状になるとは、インクジェットヘッドが配置される一対のガイドローラの間の領域では、搬送ベルトが平面になり、上記一対のガイドローラと隣り合う一対のガイドローラとの間では、隣り合うインクジェットヘッドの間に位置するガイドローラによって、搬送ベルトが周の内側に向かって屈曲する状態になることである。
【００２６】
更に、必要に応じて、上記一対のガイドローラの間の搬送ベルトの下側（搬送ベルトを挟んでインクジェットヘッドに対向する位置）に、搬送ベルトを平面で支持するプラテンなどの平板を配置し、このプラテンによって搬送ベルトの振動や弛みを抑制すると共に、ヘッドと布帛間のギャップを一定に保つ。
【００２７】
なお、一般に、プラテンはΔ０．１〜０．２ｍｍ程度の表面加工精度が求められるが、本発明のように、搬送ベルトの下側に配置するプラテンは、複数のインクジェットヘッドを搭載したキャリッジ毎に分割されているため、スキャン型インクジェットプリンタにあるような大型のプラテンと比較して、コストを抑え、調整も容易にすることができる。また、プラテンの数（キャリッジの数）は特に制限されないが、キャリッジの数が増えると、搬送ベルトを凸状に保つために、端のキャリッジがほぼ横向きに配置されることになる。インクジェット方式では、横向きにインクを吐出するのは好ましくないため、搬送ベルトの凸形状を保ちつつ、インクをほぼ垂直に吐出するため、キャリッジの数は４個程度が望ましい。
【００２８】
更に、必要に応じて、搬送ベルトの表面に、布帛が搬送ベルト上で搬送方向及び搬送方向と直交する方向に相対移動することを規制する突起を設け、搬送ベルトと布帛との摩擦力を向上させる。
【００２９】
その際、本発明では、上述したように搬送ベルトが凸状になっているため、搬送ベルトから布帛が浮かないようにするための特殊な形状（例えば、特許文献２の矢じり型）の突起は必要なく、針のような単純な形状の突起で良いため、実現が容易である。
【００３０】
このように、本発明では、搬送ベルトを凸状にすることにより、布帛を搬送ベルトに適切に押し付けることができる。また、搬送ベルトを挟んでインクジェットヘッドに対向する位置にプラテンを配置することにより、搬送ベルトの振動や弛みを抑えることができる。また、搬送ベルトの表面に突起を設けることにより、布帛を搬送ベルト上で確実に固定することができる。そして、これらにより、インクの着弾位置のずれを防止することができ、大きなサイズの布帛に印捺する場合であっても、印捺の精度を向上させることができる。
【実施例】
【００３１】
上記した本発明の一実施の形態についてさらに詳細に説明すべく、本発明の一実施例に係る捺染インクジェットプリンタについて、図１乃至図４を参照して説明する。図１は、本実施例の捺染インクジェットプリンタの構成を示す模式図であり、図２は、捺染インクジェットプリンタの構成を示す斜視図である。また、図３は、本実施例の捺染インクジェットプリンタにおけるキャリッジの構成を示す平面図であり、図４は、搬送ベルトの構造を示す断面図である。
【００３２】
本実施例の捺染インクジェットプリンタは、被記録物にインクを出射して画像記録するインクジェット記録方法で用いられる印刷装置である。以下、図１及び図２を参照して具体的に説明する。
【００３３】
被記録媒体である布帛４０はロール状に撒かれており（図示せず）、ロールから巻出された布帛４０は、中間ローラ１１及び押圧ローラ（布帛４０にテンションをかけるテンションローラ）１０を介して搬送ベルト２３の表面に押し付けられ、搬送ベルト２３に密着する。そして、搬送ベルト２３に密着した布帛４０は、図１の白矢印で示される搬送方向に搬送されて、搬送装置２０に送られる。
【００３４】
搬送装置２０は、駆動ローラ２１と、ガイドローラ２２と、搬送ベルト２３と、キャリッジ２５と、ベルト洗浄部２６と、ベルト乾燥部２７などを含み、搬送ベルト２３上の布帛４０に印捺する。
【００３５】
駆動ローラ２１は、図示しない駆動部の駆動力が伝達可能に構成され、駆動部が駆動した際に回転駆動する。
【００３６】
ガイドローラ２２は、回転可能に構成され、搬送ベルト２３が周回する経路を規定する。このガイドローラ２２は、キャリッジ２５が配置されるプリント部に配置されるガイドローラ２２ａ（図１及び図２の上側に配置される５つのガイドローラ２２ａ）と、押圧ローラ１０に近接配置され、布帛４０を搬送ベルト２３に密着させるガイドローラ２２ｂと、布帛４０を搬送ベルト２３から剥離させるガイドローラ２２ｃなどで構成される。なお、図１及び図２では、ガイドローラ２２ａ〜ｃを同じサイズで記載しているが、目的に応じてサイズや構造は適宜変更することができる。また、図１及び図２では、４つのキャリッジ２５を配置するため、５つのガイドローラ２２ａを配置しているが、ガイドローラ２２ａの数はキャリッジ２５の数に応じて適宜変更することができる。
【００３７】
搬送ベルト２３は、帯状で、かつ長手方向の両端が接続された無端状に形成されている。そして、駆動ローラ２１が回転駆動すると、搬送ベルト２３は、複数のガイドローラ２２によって規定される経路を周回移動する。これにより、搬送ベルト２３に載置された布帛４０が搬送される。
【００３８】
キャリッジ２５は、インクジェットヘッド２５ａを搭載したユニットであり、搬送ベルト２３の外周面における上方の面に、搬送ベルト２３から所定の間隔をあけて配設される。このキャリッジ２５の詳細については後述する。
【００３９】
ベルト洗浄部２６は、搬送ベルト２３の外周面に洗浄液を吹き付けるノズルを有しており、ノズルから洗浄液を吹き付けることで、搬送ベルト２３の外周面に付着したインクを洗い流す。なお、ベルト洗浄部２６は、洗浄液を吹き付けるノズルを有するものに限定されず、例えば、洗浄液を含浸する洗浄ローラが搬送ベルト２３の外周面に当接する構成としてもよい。
【００４０】
ベルト乾燥部２７は、ベルト洗浄部２６よりも搬送ベルト２３の搬送方向の下流側に配置され、ベルト洗浄部２６によって搬送ベルト２３に付着した洗浄液を除去する。このベルト乾燥部２７は、例えば、搬送ベルト２３にエアーを吹き付ける構成や、搬送ベルト２３に付着した洗浄液を平板状のブレードで掻き取る構成などとすることができる。
【００４１】
そして、搬送装置２０において、搬送ベルト２３によって搬送され、キャリッジ２５によって印捺された布帛４０は、ガイドローラ２２ｃによって搬送ベルト２３から剥離され、プレ乾燥ヒータ３２によって乾燥処理が施される。このプレ乾燥ヒータ３２は、温風を布帛４０に対して吹付ける構成や、布帛４０に赤外線を照射して乾燥する構成などとすることができる。そして、プレ乾燥ヒータ３２による乾燥後、布帛４０は、中間ローラ３０を介して巻き取りローラ３１によって巻き取られる。その際、印捺速度に連動して巻き取りローラ３１を回転させることによって、布帛４０に一定のテンションをかけることが望ましい。
【００４２】
なお、本実施例の捺染インクジェットプリンタ１で使用する布帛４０の素材としては、例えば、綿、麻、羊毛、絹、レーヨン、キュプラ、ポリノジック、ポリエステル、ナイロン、アクリル、ビニロン、及びこれらの混紡を用いることができる。
【００４３】
また、本実施例の捺染インクジェットプリンタ１で使用する搬送ベルト２３の素材としては、樹脂、金属、ガラス繊維等を用いることができ、搬送ベルト２３の形態の１つとして、繊維を編み上げて作った網状ベルトを利用することができる。
【００４４】
上記繊維としては、ガラス繊維、炭素繊維、アラミド繊維、芳香族アリレート繊維、スチールワイヤ等が挙げられ、特に、ガラス繊維やアラミド繊維が、ベルト張力による変形防止の観点で望ましい。また、網状ベルトの織り方としては、平織、朱子織、綾織、ニット織等が挙げられ、多層構造となるように編んでも良い。多層構造で編む場合、上記平織、朱子織、綾織、ニット織等を組み合わせて網状ベルトを作成しても良い。
【００４５】
また、上記網状ベルトを樹脂で被覆しても良く、編み上げたベルトを樹脂溶液中に含浸し、乾燥、焼結並びに架橋等の処理を行うことで、樹脂被覆編みベルトを作成することができる。編みベルトを含浸する樹脂としては、熱可塑性樹脂、シリコーン樹脂、フッ素樹脂等が好ましく用いられる。また、これらの樹脂中に、綿糸、ポリアミド繊維やアラミド繊維等の化学繊維、ガラス繊維、金属繊維、カーボン繊維等からなる短繊維、織布、フィラー、ウィスカー、シリカ、炭酸カルシウムなどの無機材料等を混入することで、樹脂層の強度を上げることも可能である。また、繊維分を部分的に露出させるなどして滑りやすくすることで耐摩擦性を向上させたり、表面の摩擦係数を調整したりすることも可能である。
【００４６】
また、内部に金属や繊維等の芯材を含まず、樹脂を主成分とした搬送ベルト２３も好ましく用いることができ、必要に応じて、付加成分を付与することができる。この樹脂としては、上記の熱可塑性樹脂、シリコーン樹脂、フッ素樹脂を用いることができる。上記の付加成分は、樹脂組成物に対して、一軸押出機、二軸押出機、バンバリーミキサー、ロール、ブラベンダー、プラストグラフ、ニーダ等の通常の混練機を用いて成形前に練り混むことが好ましい。また、各成分を直接成形機に供給し、成形機で本組成物を混練しながら成形することもできる。
【００４７】
これらの樹脂の混合物を用いるベルト製造方法として、連続溶融押出成形法、射出成形法、ブロー成形法、インフレーションフィルム成形法等の公知の溶融成形法を用いることができる。ベルトの望ましい連続溶融押出成形法としては、押出したチューブ内径を高精度で制御可能な下方押出方式の内部冷却マンドレル方式、あるいはバキュームサイジング方式が挙げられる。
【００４８】
上記構成の捺染インクジェットプリンタ１において、本発明の課題を解決するために、以下に示す構造を設ける。
【００４９】
［第１の構造］
まず、第１の構造として、プリント部の搬送ベルト２３を周の外側に向かって膨らんだ凸状にする。以下、具体的に説明する。
【００５０】
図２に示すように、本実施例の捺染インクジェットプリンタ１が印捺する布帛４０は、幅が約１．８ｍ以上もあり、その布帛４０を搬送する搬送ベルト２３は、幅が約２ｍ以上もある。このような大きなサイズの布帛４０に印捺する場合、多数のインクジェットヘッド２５ａを配置しなければならないため、複数のインクジェットヘッド２５ａを組み合わせて搭載したユニット（キャリッジ２５）を使用する。
【００５１】
図３は、本実施例のキャリッジ２５の構成の一例を示しており、布帛４０の幅全体に確実に印字できるように、各々の色に対して、複数のノズル２５ｃで構成される複数（ここでは２つ）のインクジェットモジュール２５ｂを備えるインクジェットヘッド２５ａが千鳥状に配列される。本実施例では、各々のキャリッジ２５に、２色分のインクジェットヘッド２５ａが搭載され、中間色を表現するためにCMYKにGray、Pink、Blue、Orangeを加えた計８色分のインクジェットヘッド２５ａが搭載された４つのキャリッジ２５が配置される。このキャリッジ２５の長辺方向（図の左右方向）の長さは、搬送ベルト２３の幅と同等の約２ｍ（図では途中を省略している。）であり、短辺方向（図の上下方向）の長さは、約３０ｃｍ以上となる。
【００５２】
このような大きなサイズのキャリッジ２５を用いる場合、図１及び図２のガイドローラ２２ａ間の距離はキャリッジ２５の短辺方向の長さ以上となり、４つのキャリッジ２５を含むプリント部の搬送方向の長さは１ｍ〜２ｍにも及ぶ。そのため、ガイドローラ２２ａを横一列に並べた場合、端のガイドローラ２２ａ近傍では、布帛４０は搬送ベルト２３に押し付けられるが、中央のガイドローラ２２ａ近傍では、布帛４０は搬送ベルト２３に十分に押し付けられず、その結果、布帛４０が搬送ベルト２３から浮いて、印捺の精度が悪化する。
【００５３】
そこで、本実施例では、プリント部全体で、布帛４０に搬送ベルト２３に対する押圧力が均一かつ十分に加わるように、ガイドローラ２２ａの配置を変更する。具体的には、図１及び図２に示すように、プリント部の中央部のガイドローラ２２ａを、プリント部の端部のガイドローラ２２ａよりも周の外側（図１及び図２の構成では上側）に配置したり、プリント部の端部から中央部に向かって、ガイドローラ２２ａが徐々に周の外側になるように配置したりする。このように、プリント部全体で搬送ベルト２３が周の外側に向かって膨らんだ凸状になる（隣り合うキャリッジ２５の間に位置するガイドローラ２２ａによって、搬送ベルト２３が周の内側に向かって屈曲する）ように複数のガイドローラ２２ａを配置することにより、布帛４０を搬送ベルト２３に確実に押し付けることができ、布帛４０の位置ずれを防止することができる。
【００５４】
なお、プリント部の端部のガイドローラ２２ａに対して、中央部のガイドローラ２２ａをどの程度外側に配置するかは、キャリッジ２５のサイズや数、布帛４０に加える押圧力などに応じて適宜変更可能であるが、ガイドローラ２２ａの配置のずらし量が大きくなると、プリント部の端部における搬送ベルト２３の傾きが大きくなる。ここで、キャリッジ２５は、搬送ベルト２３の表面に対してノズル面が平行になるように配置する必要があるため、搬送ベルト２３の傾きに応じて、キャリッジ２５の傾きも大きくなるが、インクジェットプリンタでは、ノズル２５ｃからインクを吐出するため、キャリッジ２５の傾きが大きくなるとインクの着弾位置にずれが生じる。従って、キャリッジ２５の傾きが所定範囲内となるようにガイドローラ２２ａの配置のずらし量を調整する（若しくは、キャリッジ２５の傾きが所定範囲内となるようにキャリッジ２５の数を調整する）ことが好ましい。
【００５５】
［第２の構造］
次に、第２の構造として、必要に応じて、搬送ベルト２３を挟んでキャリッジ２５に対向する位置（キャリッジ２５が配置される領域の搬送ベルト２３の下側）に、布帛４０の被捺染面を平坦に規制する複数のプラテン２４を設ける。以下、具体的に説明する。
【００５６】
上述したような大きなサイズのキャリッジ２５を用いる場合、ガイドローラ２２ａ間の距離は長くなるため、ガイドローラ２２ａ間で搬送ベルト２３に振動や弛みが発生する恐れがあり、その場合、搬送ベルト２３上の布帛４０に位置ずれが生じ、印捺の精度が悪化する可能性がある。
【００５７】
そこで、本実施例では、必要に応じて、ガイドローラ２２ａ間の領域の搬送ベルト２３の下側に、搬送ベルト２３を平面で支持するプラテン２４を配置する。このように、搬送ベルト２３の下側にプラテン２４を配置することにより、ガイドローラ２２ａ間の搬送ベルト２３の振動や弛みを抑制することができ、インクの着弾位置のずれを防止することができる。
【００５８】
なお、プラテン２４のサイズは適宜設定することができるが、少なくとも、各々のキャリッジ２５に対向する領域を含むサイズとすることが好ましい。
【００５９】
また、プラテン２４の厚さや材料も適宜設定することができるが、本実施例のプラテン２４は、搬送ベルト２３を支持することを目的としており、適切な硬度及び表面平坦度を有するものであればよく、例えば、金属や硬質樹脂などを用いて作成することができる。
【００６０】
このように、本実施例のプラテン２４は、キャリッジ２５毎に分割されているため、スキャン型インクジェットプリンタに用いるような大型のプラテンと比較してサイズを小さくすることができ、コストを抑え、調整も容易にすることができる。
【００６１】
［第３の構造］
また、第３の構造として、必要に応じて、搬送ベルト２３の印捺面側に布帛４０を固定する複数の突起を設ける。以下、具体的に説明する。
【００６２】
上述したように、プリント部において搬送ベルト２３が凸状になるようにガイドローラ２２ａを配置することによって、プリント部全体で布帛４０を搬送ベルト２３に押し付けることができるが、本実施例の捺染インクジェットプリンタ１は、大きなサイズの布帛４０を用いるため、布帛４０が搬送ベルト２３上でずれる恐れがあり、印捺の精度が悪化する可能性がある。
【００６３】
そこで、本実施例では、布帛４０と搬送ベルト２３との摩擦力を増やすために、必要に応じて、搬送ベルト２３に突起を設ける。図４は、搬送ベルト２３の構造を模式的に示す断面図であり、搬送ベルト２３の印捺面（布帛４０が載置される側）に針状の突起２３ａを複数形成する。このように、搬送ベルト２３に複数の突起２３ａを形成することにより、突起２３ａが布帛４０の繊維に引っかかり、布帛４０を搬送ベルト２３上に確実に固定することができる。
【００６４】
なお、突起２３ａを配置する位置や突起２３ａの数（密度）は適宜設定することができ、搬送ベルト２３全体に亘って一定の密度で突起２３ａを形成してもよいし、搬送ベルト２３の端部で突起２３ａの数を増やしたりしてもよい。
【００６５】
また、突起２３ａの形状も適宜設定することができるが、本実施例の場合、プリント部では搬送ベルト２３が凸状になっており、布帛４０が搬送ベルト２３から浮く恐れはないため、従来技術のような特殊な形状にする必要はなく、布帛４０が搬送ベルト２３上で移動（特に、搬送方向及び搬送方向に直交する方向に相対移動）することを規制できる形状であればよい。
【００６６】
また、突起２３ａのサイズも適宜設定することができるが、布帛４０の厚さは通常１００〜２００μｍ程度であるため、突起２３ａが布帛４０を突き抜けないように、数μｍ〜数十μｍ程度の厚さにすることが好ましい。
【００６７】
また、突起２３ａの形状やサイズ、密度は、上述した布帛４０の材料と搬送ベルト２３の材料との組み合わせに応じて設定することができ、例えば、布帛４０の繊維の目が粗い場合は、突起２３ａのサイズや密度を大きくすることができる。
【００６８】
また、突起２３ａの材料も任意であり、搬送ベルト２３と同じ材料（例えば、樹脂）を用いてもよいし、ポリプロピレンなどのプラスチック材料や金属材料を用いても良い。また、突起２３ａの形成方法も任意であり、搬送ベルト２３と突起２３ａとを同じ材料（例えば、樹脂）で作成する場合は、上述した連続溶融押出成形法、射出成形法、ブロー成形法、インフレーションフィルム成形法等の公知の溶融成形法で作成することができる。また、搬送ベルト２３を作成した後、プラスチック材料や金属材料で作成した突起２３ａを埋め込んでも良いし、搬送ベルト２３の裏面から差し込んでもよい。
【００６９】
また、図４では、搬送ベルト２３に突起２３ａを設ける構成を示したが、搬送ベルト２３の印捺面側を研削して表面に凹凸を形成し、その凸部を突起２３ａとして機能させる構成としてもよい。
【００７０】
以上、説明したように、プリント部の搬送ベルト２３を周の外側に向かって膨らんだ凸状にすることにより、布帛４０を搬送ベルト２３に確実に押し付けることができ、布帛４０の位置ずれを防止することができる。また、必要に応じて、搬送ベルト２３を挟んでキャリッジ２５に対向する位置に、布帛４０の被捺染面を平坦に規制する複数のプラテン２４を設けることにより、ガイドローラ２２ａ間の搬送ベルト２３の振動や弛みを抑制することができ、インクの着弾位置のずれを防止することができる。また、必要に応じて、搬送ベルト２３の印捺面側に布帛４０を固定する複数の突起２３ａを設けることにより、布帛４０を搬送ベルト２３上に確実に固定することができる。
【００７１】
なお、本発明は上記実施例に限定されるものではなく、本発明の趣旨を逸脱しない限りにおいて、装置の構成は適宜変更可能である。
【００７２】
例えば、上記実施例では、布帛４０に印捺する捺染インクジェットプリンタについて説明したが、大きなサイズの媒体に印刷する任意のインクジェットプリンタに対して、本発明の構造を同様に適用することができる。
【産業上の利用可能性】
【００７３】
本発明は、地張り剤を用いずに布帛を搬送して印捺することができる捺染インクジェットプリンタに利用可能である。
【符号の説明】
【００７４】
１  捺染インクジェットプリンタ
１０  押圧ローラ
１１  中間ローラ
２０  搬送装置
２１  駆動ローラ
２２、２２ａ、２２ｂ、２２ｃ  ガイドローラ
２３  搬送ベルト
２３ａ  突起
２４  プラテン
２５  キャリッジ
２５ａ  インクジェットヘッド
２５ｂ  インクジェットモジュール
２５ｃ  ノズル
２６  ベルト洗浄部
２７  ベルト乾燥部
３０  中間ローラ
３１  巻き取りローラ
３２  プレ乾燥ヒータ
４０  布帛
【図１】
2020029001.tif 000003
【図２】
2020029001.tif 000004
【図３】
2020029001.tif 000005
【図４】
2020029001.tif 000006
【図５】
2020029001.tif 000007
【図６】
2020029001.tif 000008